【手続補正書】
【提出日】平成24年2月17日(2012.2.17)
【手続補正１】
【補正対象書類名】特許請求の範囲
【補正対象項目名】全文
【補正方法】変更
【補正の内容】
【特許請求の範囲】
【請求項１】
画像の所定のブロックを構成する前記ブロックに隣接する隣接画素を用いて、前記隣接画素と相関の高い画素を復号済みの画素から検出し、検出された前記画素に隣接する画素を含む画像を前記ブロックの予測画像とする予測手段と、
前記隣接画素が前記所定のブロック内に属する場合、前記隣接画素の予測画像を、予測に用いる前記隣接画素として設定する隣接画素設定手段と
を備える画像処理装置。
【請求項２】
前記予測手段は、画面間予測により予測を行う
請求項１に記載の画像処理装置。
【請求項３】
前記隣接画素設定手段は、前記隣接画素が前記所定のブロック外に存在する場合、前記隣接画素の復号画像を、前記予測に用いる前記隣接画素として設定する
請求項１に記載の画像処理装置。
【請求項４】
前記ブロックの位置が、前記所定のブロック内において左上の位置である場合、前記隣接画素のうち、前記所定のブロック外に存在する左上部の隣接画素、上部の隣接画素、および左部の隣接画素すべてについて、前記隣接画素の復号画像を、前記予測に用いる前記隣接画素として設定する
請求項３に記載の画像処理装置。
【請求項５】
前記ブロックの位置が、前記所定のブロック内において右上の位置である場合、前記隣接画素のうち、前記所定のブロック外に存在する左上部の隣接画素、および上部の隣接画素について、前記隣接画素の復号画像を、前記予測に用いる前記隣接画素として設定し、前記隣接画素のうち、前記所定のブロック内に属する左部の隣接画素について、前記隣接画素の予測画像を、前記予測に用いる前記隣接画素として設定する
請求項３に記載の画像処理装置。
【請求項６】
前記ブロックの位置が、前記所定のブロック内において左下の位置である場合、前記隣接画素のうち、前記所定のブロック外に存在する左上部の隣接画素、および左部の隣接画素について、前記隣接画素の復号画像を、前記予測に用いる前記隣接画素として設定し、前記隣接画素のうち、前記所定のブロック内に属する上部の隣接画素について、前記隣接画素の予測画像を、前記予測に用いる前記隣接画素として設定する
請求項３に記載の画像処理装置。
【請求項７】
前記ブロックの位置が、前記所定のブロック内において右下の位置である場合、前記隣接画素のうち、前記所定のブロック内に属する左上部の隣接画素、上部の隣接画素、および左部の隣接画素すべてについて、前記隣接画素の予測画像を、前記予測に用いる前記隣接画素として設定する
請求項３に記載の画像処理装置。
【請求項８】
上下２つの前記ブロックで構成される前記所定のブロックにおいて、前記ブロックの位置が、前記所定のブロック内において上部の位置である場合、前記隣接画素のうち、前記所定のブロック外に存在する左上部の隣接画素、上部の隣接画素、および左部の隣接画素すべてについて、前記隣接画素の復号画像を、前記予測に用いる前記隣接画素として設定する
請求項３に記載の画像処理装置。
【請求項９】
上下２つの前記ブロックで構成される前記所定のブロックにおいて、前記ブロックの位置が、前記所定のブロック内において下部の位置である場合、前記隣接画素のうち、前記所定のブロック外に存在する左上部の隣接画素、および左部の隣接画素について、前記隣接画素の復号画像を、前記予測に用いる前記隣接画素として設定し、前記隣接画素のうち、前記所定のブロック内に属する上部の隣接画素について、前記隣接画素の予測画像を、前記予測に用いる前記隣接画素として設定する
請求項３に記載の画像処理装置。
【請求項１０】
左右２つの前記ブロックで構成される前記所定のブロックにおいて、前記ブロックの位置が、前記所定のブロック内において左部の位置である場合、前記隣接画素のうち、前記所定のブロック外に存在する左上部の隣接画素、上部の隣接画素、および左部の隣接画素すべてについて、前記隣接画素の復号画像を、前記予測に用いる前記隣接画素として設定する
請求項３に記載の画像処理装置。
【請求項１１】
左右２つの前記ブロックで構成される前記所定のブロックにおいて、前記ブロックの位置が、前記所定のブロック内において右部の位置である場合、前記隣接画素のうち、前記所定のブロック外に存在する左上部の隣接画素、および上部の隣接画素について、前記隣接画素の復号画像を、前記予測に用いる前記隣接画素として設定し、前記隣接画素のうち、前記所定のブロック内に属する左部の隣接画素について、前記隣接画素の予測画像を、前記予測に用いる前記隣接画素として設定する
請求項３に記載の画像処理装置。
【請求項１２】
前記予測手段は、前記隣接画素をテンプレートとして用いて、前記ブロックについて、前記テンプレートのマッチングによる前記予測を行う
請求項１に記載の画像処理装置。
【請求項１３】
前記予測手段は、前記隣接画素をテンプレートとして用いて、前記ブロックの色差信号についても、前記テンプレートのマッチングによる前記予測を行う
請求項１に記載の画像処理装置。
【請求項１４】
前記予測手段は、前記隣接画素を用いて、前記ブロックについて、前記予測として、イントラ予測を行う
請求項１に記載の画像処理装置。
【請求項１５】
符号化されているブロックの画像を復号する復号手段を
さらに備え、
前記復号手段は、前記予測手段が前記隣接画素の予測画像を用いて、前記所定のブロックと、前記隣接画素の予測画像とを復号する
請求項１に記載の画像処理装置。
【請求項１６】
画像処理装置が、
画像の所定のブロックを構成するブロックに隣接する隣接画素が前記所定のブロック内に属する場合、前記隣接画素の予測画像を、予測に用いる前記隣接画素として設定し、
設定された前記隣接画素を用いて、前記隣接画素と相関の高い画素を復号済みの画素から検出し、検出された前記画素に隣接する画素を含む画像を前記ブロックの予測画像とするステップを
含む画像処理方法。
【請求項１７】
画像の所定のブロックを構成するブロックに隣接する隣接画素が前記所定のブロック内に属する場合、前記隣接画素の予測画像を、予測に用いる前記隣接画素として設定し、
設定された前記隣接画素を用いて、前記隣接画素と相関の高い画素を復号済みの画素から検出し、検出された前記画素に隣接する画素を含む画像を前記ブロックの予測画像とするステップを
含む処理をコンピュータに実行させるためのプログラム。
【請求項１８】
請求項１７に記載のプログラムが記録されている記録媒体。
【手続補正２】
【補正対象書類名】明細書
【補正対象項目名】発明の名称
【補正方法】変更
【補正の内容】
【発明の名称】画像処理装置および方法、プログラム、並びに記録媒体
【手続補正３】
【補正対象書類名】明細書
【補正対象項目名】０００１
【補正方法】変更
【補正の内容】
【０００１】
本発明は画像処理装置および方法、プログラム、並びに記録媒体に関し、特に、隣接画素を用いる予測処理において、パイプライン処理を行うようにした画像処理装置および方法、プログラム、並びに記録媒体に関する。
【手続補正４】
【補正対象書類名】明細書
【補正対象項目名】００３７
【補正方法】変更
【補正の内容】
【００３７】
本発明の一側面の画像処理装置は、画像の所定のブロックを構成する前記ブロックに隣接する隣接画素を用いて、前記隣接画素と相関の高い画素を復号済みの画素から検出し、検出された前記画素に隣接する画素を含む画像を前記ブロックの予測画像とする予測手段と、前記隣接画素が前記所定のブロック内に属する場合、前記隣接画素の予測画像を、予測に用いる前記隣接画素として設定する隣接画素設定手段とを備える。
【手続補正５】
【補正対象書類名】明細書
【補正対象項目名】００３８
【補正方法】変更
【補正の内容】
【００３８】
前記予測手段は、画面間予測により予測を行うことができる。
【手続補正６】
【補正対象書類名】明細書
【補正対象項目名】００３９
【補正方法】変更
【補正の内容】
【００３９】
前記隣接画素設定手段は、前記隣接画素が前記所定のブロック外に存在する場合、前記隣接画素の復号画像を、前記予測に用いる前記隣接画素として設定することができる。
【手続補正７】
【補正対象書類名】明細書
【補正対象項目名】００４０
【補正方法】変更
【補正の内容】
【００４０】
前記ブロックの位置が、前記所定のブロック内において左上の位置である場合、前記隣接画素のうち、前記所定のブロック外に存在する左上部の隣接画素、上部の隣接画素、および左部の隣接画素すべてについて、前記隣接画素の復号画像を、前記予測に用いる前記隣接画素として設定することができる。
【手続補正８】
【補正対象書類名】明細書
【補正対象項目名】００４１
【補正方法】変更
【補正の内容】
【００４１】
前記ブロックの位置が、前記所定のブロック内において右上の位置である場合、前記隣接画素のうち、前記所定のブロック外に存在する左上部の隣接画素、および上部の隣接画素について、前記隣接画素の復号画像を、前記予測に用いる前記隣接画素として設定し、前記隣接画素のうち、前記所定のブロック内に属する左部の隣接画素について、前記隣接画素の予測画像を、前記予測に用いる前記隣接画素として設定することができる。
【手続補正９】
【補正対象書類名】明細書
【補正対象項目名】００４２
【補正方法】変更
【補正の内容】
【００４２】
前記ブロックの位置が、前記所定のブロック内において左下の位置である場合、前記隣接画素のうち、前記所定のブロック外に存在する左上部の隣接画素、および左部の隣接画素について、前記隣接画素の復号画像を、前記予測に用いる前記隣接画素として設定し、前記隣接画素のうち、前記所定のブロック内に属する上部の隣接画素について、前記隣接画素の予測画像を、前記予測に用いる前記隣接画素として設定することができる。
【手続補正１０】
【補正対象書類名】明細書
【補正対象項目名】００４３
【補正方法】変更
【補正の内容】
【００４３】
前記ブロックの位置が、前記所定のブロック内において右下の位置である場合、前記隣接画素のうち、前記所定のブロック内に属する左上部の隣接画素、上部の隣接画素、および左部の隣接画素すべてについて、前記隣接画素の予測画像を、前記予測に用いる前記隣接画素として設定することができる。
【手続補正１１】
【補正対象書類名】明細書
【補正対象項目名】００４４
【補正方法】変更
【補正の内容】
【００４４】
上下２つの前記ブロックで構成される前記所定のブロックにおいて、前記ブロックの位置が、前記所定のブロック内において上部の位置である場合、前記隣接画素のうち、前記所定のブロック外に存在する左上部の隣接画素、上部の隣接画素、および左部の隣接画素すべてについて、前記隣接画素の復号画像を、前記予測に用いる前記隣接画素として設定することができる。
【手続補正１２】
【補正対象書類名】明細書
【補正対象項目名】００４５
【補正方法】変更
【補正の内容】
【００４５】
上下２つの前記ブロックで構成される前記所定のブロックにおいて、前記ブロックの位置が、前記所定のブロック内において下部の位置である場合、前記隣接画素のうち、前記所定のブロック外に存在する左上部の隣接画素、および左部の隣接画素について、前記隣接画素の復号画像を、前記予測に用いる前記隣接画素として設定し、前記隣接画素のうち、前記所定のブロック内に属する上部の隣接画素について、前記隣接画素の予測画像を、前記予測に用いる前記隣接画素として設定することができる。
【手続補正１３】
【補正対象書類名】明細書
【補正対象項目名】００４６
【補正方法】変更
【補正の内容】
【００４６】
左右２つの前記ブロックで構成される前記所定のブロックにおいて、前記ブロックの位置が、前記所定のブロック内において左部の位置である場合、前記隣接画素のうち、前記所定のブロック外に存在する左上部の隣接画素、上部の隣接画素、および左部の隣接画素すべてについて、前記隣接画素の復号画像を、前記予測に用いる前記隣接画素として設定することができる。
【手続補正１４】
【補正対象書類名】明細書
【補正対象項目名】００４７
【補正方法】変更
【補正の内容】
【００４７】
左右２つの前記ブロックで構成される前記所定のブロックにおいて、前記ブロックの位置が、前記所定のブロック内において右部の位置である場合、前記隣接画素のうち、前記所定のブロック外に存在する左上部の隣接画素、および上部の隣接画素について、前記隣接画素の復号画像を、前記予測に用いる前記隣接画素として設定し、前記隣接画素のうち、前記所定のブロック内に属する左部の隣接画素について、前記隣接画素の予測画像を、前記予測に用いる前記隣接画素として設定することができる。
【手続補正１５】
【補正対象書類名】明細書
【補正対象項目名】００４８
【補正方法】変更
【補正の内容】
【００４８】
前記予測手段は、前記隣接画素をテンプレートとして用いて、前記ブロックについて、前記テンプレートのマッチングによる前記予測を行うことができる。
【手続補正１６】
【補正対象書類名】明細書
【補正対象項目名】００４９
【補正方法】変更
【補正の内容】
【００４９】
前記予測手段は、前記隣接画素をテンプレートとして用いて、前記ブロックの色差信号についても、前記テンプレートのマッチングによる前記予測を行うことができる。
【手続補正１７】
【補正対象書類名】明細書
【補正対象項目名】００５０
【補正方法】変更
【補正の内容】
【００５０】
前記予測手段は、前記隣接画素を用いて、前記ブロックについて、前記予測として、イントラ予測を行うことができる。
【手続補正１８】
【補正対象書類名】明細書
【補正対象項目名】００５１
【補正方法】変更
【補正の内容】
【００５１】
符号化されているブロックの画像を復号する復号手段をさらに備え、前記復号手段は、前記予測手段が前記隣接画素の予測画像を用いて、前記所定のブロックと、前記隣接画素の予測画像とを復号することができる。
【手続補正１９】
【補正対象書類名】明細書
【補正対象項目名】００５２
【補正方法】削除
【補正の内容】
【手続補正２０】
【補正対象書類名】明細書
【補正対象項目名】００５３
【補正方法】削除
【補正の内容】
【手続補正２１】
【補正対象書類名】明細書
【補正対象項目名】００５４
【補正方法】削除
【補正の内容】
【手続補正２２】
【補正対象書類名】明細書
【補正対象項目名】００５５
【補正方法】削除
【補正の内容】
【手続補正２３】
【補正対象書類名】明細書
【補正対象項目名】００５６
【補正方法】削除
【補正の内容】
【手続補正２４】
【補正対象書類名】明細書
【補正対象項目名】００５７
【補正方法】削除
【補正の内容】
【手続補正２５】
【補正対象書類名】明細書
【補正対象項目名】００５８
【補正方法】削除
【補正の内容】
【手続補正２６】
【補正対象書類名】明細書
【補正対象項目名】００５９
【補正方法】削除
【補正の内容】
【手続補正２７】
【補正対象書類名】明細書
【補正対象項目名】００６０
【補正方法】削除
【補正の内容】
【手続補正２８】
【補正対象書類名】明細書
【補正対象項目名】００６１
【補正方法】削除
【補正の内容】
【手続補正２９】
【補正対象書類名】明細書
【補正対象項目名】００６２
【補正方法】削除
【補正の内容】
【手続補正３０】
【補正対象書類名】明細書
【補正対象項目名】００６３
【補正方法】変更
【補正の内容】
【００６３】
本発明の一側面の画像処理方法は、画像処理装置が、画像の所定のブロックを構成するブロックに隣接する隣接画素が前記所定のブロック内に属する場合、前記隣接画素の予測画像を、予測に用いる前記隣接画素として設定し、設定された前記隣接画素を用いて、前記隣接画素と相関の高い画素を復号済みの画素から検出し、検出された前記画素に隣接する画素を含む画像を前記ブロックの予測画像とするステップを含む。
【手続補正３１】
【補正対象書類名】明細書
【補正対象項目名】００６４
【補正方法】変更
【補正の内容】
【００６４】
本発明の一側面のプログラムは、画像の所定のブロックを構成するブロックに隣接する隣接画素が前記所定のブロック内に属する場合、前記隣接画素の予測画像を、予測に用いる前記隣接画素として設定し、設定された前記隣接画素を用いて、前記隣接画素と相関の高い画素を復号済みの画素から検出し、検出された前記画素に隣接する画素を含む画像を前記ブロックの予測画像とするステップを含む処理をコンピュータに実行させる。
【手続補正３２】
【補正対象書類名】明細書
【補正対象項目名】００６５
【補正方法】変更
【補正の内容】
【００６５】
本発明の一側面の記録媒体に記録されているプログラムは、画像の所定のブロックを構成するブロックに隣接する隣接画素が前記所定のブロック内に属する場合、前記隣接画素の予測画像を、予測に用いる前記隣接画素として設定し、設定された前記隣接画素を用いて、前記隣接画素と相関の高い画素を復号済みの画素から検出し、検出された前記画素に隣接する画素を含む画像を前記ブロックの予測画像とするステップを含む処理をコンピュータに実行させる。
【手続補正３３】
【補正対象書類名】明細書
【補正対象項目名】００６６
【補正方法】変更
【補正の内容】
【００６６】
本発明の一側面においては、画像の所定のブロックを構成するブロックに隣接する隣接画素が前記所定のブロック内に属する場合、前記隣接画素の予測画像が、予測に用いる前記隣接画素として設定される。そして、設定された前記隣接画素を用いて、前記隣接画素と相関の高い画素が復号済みの画素から検出され、検出された前記画素に隣接する画素を含む画像が前記ブロックの予測画像とされる。
【手続補正３４】
【補正対象書類名】明細書
【補正対象項目名】００６８
【補正方法】変更
【補正の内容】
【００６８】
本発明の一側面によれば、画像を符号化または復号することができる。また、本発明の一側面によれば、隣接画素を用いる予測処理において、パイプライン処理を行うことができる。
【手続補正３５】
【補正対象書類名】明細書
【補正対象項目名】００６９
【補正方法】削除
【補正の内容】